(57)【要約】  変形可能な歯列矯正ブラケットが開示される。アーチワイヤスロットは内部に取り外し可能なスロットカバーを有し、これによりブラケットは治療の第１の段階において頬側の管として機能し、治療の次の段階において沿層方向ブラケットとしてする。スロットカバーはスロットカバーを１つ以上の既定の脆弱部に沿ってブラケット本体から取り外すことにより着脱自在である。各脆弱部はブラケットの外部と第１のアーチワイヤスロットの内部との間の通路となる開口部や空洞部を含む。
2009535124.tif 000002
【特許請求の範囲】
【請求項１】
歯に相互に連結されるように調整されるベース部と、ベース部から延び、アーチワイヤスロットを画定する本体部とを含むブラケット本体と、アーチワイヤスロットは長さ部分を有し、且つ咬合−歯肉方向に延びる幅部分を有することと、
同ブラケット本体に取り付けられるスロットカバーと、同スロットカバーはアーチワイヤをスロット内に保持するためにスロットの幅部分を横断して延びることと、同スロットカバーはスロットカバーをスロットの咬合側のブラケット側部に取り付けるための第１の複数の連結部と、スロットカバーをスロットの歯肉側のブラケット側部に取り付けるための第２の複数の連結部とを有することと、
第１の複数の連結部及び第２の複数の連結部のうち少なくとも１つはスロットの側面に隣接する既定の脆弱部を形成するために間に開口部を有する少なくとも２つの連結部を含むことと、スロットの長さ部分に沿って延びるスロットカバーの少なくとも一部分をブラケット本体から取り外すために、同少なくとも２つの連結部はスロットカバーの部分がブラケット本体から取り外される要因とされることと、
スロットカバーの近遠心方向の部分はアーチワイヤスロットの長さの５０％乃至９０％であることと、
スロットの少なくとも１つの側壁とスロットカバーとの間に棚部を備え、同棚部はスロットの内側に面するスロットカバーの側部に面することとを特徴とする変形可能な歯列矯正ブラケット。
【請求項２】
前記第１の複数の連結部及び第２の複数の連結部はそれぞれ、スロットの側面に隣接する既定の脆弱部を形成するために間に開口部を有する少なくとも２つの連結部を備えることと、スロットの長さ部分にわたって延びるスロットカバーの部分をブラケット本体から取り外すために、同少なくとも２つの連結部は部分がブラケット本体から取り外される要因とされることと、
スロットカバーの近遠心方向の長さ部分はアーチワイヤスロットの長さの６０％乃至９０％であることとを特徴とする請求項１に記載の変形可能な歯列矯正ブラケット。
【請求項３】
前記第１の複数の連結部に対応する既定の脆弱部はスロットの一方の側に沿ってスロットの全長にわたって延び、第２の複数の連結部に対応する既定の脆弱部はスロットの他方の側に沿ってスロットの全長にわたって延びることを特徴とする請求項２に記載の変形可能な歯列矯正ブラケット。
【請求項４】
前記第１の複数の連結部及び第２の複数の連結部のそれぞれの連結部が前記部分のブラケット本体への連結を外す要因となる場合に同部分は完全にブラケット本体から取り外されることを特徴とする請求項３に記載の変形可能な歯列矯正ブラケット。
【請求項５】
前記部分が完全にブラケット本体から取り外される場合にスロットの略全長が同スロットの全長に沿って暴露されることを特徴とする請求項４に記載の変形可能な歯列矯正ブラケット。
【請求項６】
前記少なくとも２つの連結部は同少なくとも２つの連結部のそれぞれを破壊することにより前記部分のブラケットへの連結を外す要因となることを特徴とする請求項１に記載の変形可能な歯列矯正ブラケット。
【請求項７】
前記既定の脆弱部は少なくとも２つの開口部を含むことを特徴とする請求項１に記載の変形可能な歯列矯正ブラケット。
【請求項８】
前記既定の脆弱部はスロットカバーの略全長にわたって延び、同既定の脆弱部の大部分は複数の空洞部であり、各空洞部はブラケットの外部とスロットの内部の間の通路となることを特徴とする請求項７に記載の変形可能な歯列矯正ブラケット。
【請求項９】
前記既定の脆弱部に対応する連結部はスロットの部分の２０％以下から成ることを特徴とする請求項１に記載の変形可能な歯列矯正ブラケット。
【請求項１０】
前記既定の脆弱部のための連結部はスロットの部分の５％乃至２０％から成ることを特徴とする請求項９に記載の変形可能な歯列矯正ブラケット。
【請求項１１】
前記開口部は台形状であることを特徴とする請求項１に記載の変形可能な歯列矯正ブラケット。
【請求項１２】
前記本体部は少なくとも１つの咬合方向に延びる片持部と、少なくとも１つの歯肉方向に延びる片持部とを備えることを特徴とする請求項１に記載の変形可能な歯列矯正ブラケット。
【請求項１３】
前記本体部は少なくとも２つの咬合方向に延びる片持部と、少なくとも２つの歯肉方向に延びる片持部とを備えることを特徴とする請求項１に記載の変形可能な歯列矯正ブラケット。
【請求項１４】
前記本体部は少なくとも３つの咬合方向に延びる片持部と、少なくとも３つの歯肉方向に延びる片持部とを備えることを特徴とする請求項１に記載の変形可能な歯列矯正ブラケット。
【請求項１５】
前記片持部のうち少なくとも殆どは、スロットカバーの部分がブラケット本体から取り外される場合に結紮糸が取り付けられる結紮ウィングを備えることを特徴とする請求項１４に記載の変形可能な歯列矯正ブラケット。
【請求項１６】
歯に直接又は間接的に取り付けられるように調整されるベース部と、同ベース部から延び、長尺状をなす第１のアーチワイヤスロットを画定するブラケット本体とを含むブラケット本体と、該第１のスロットは長さ部分と同第１のスロットの部分にわたって延びる対向する側部とを有することと、
該ブラケット本体は少なくとも１つの咬合方向に延びる片持部と少なくとも１つの歯肉方向に延びる片持部とを含むことと、
該ブラケット本体に取り付けられるスロットカバーとを備え、同スロットカバーは該第１のアーチワイヤスロットの少なくとも一部分を横断して延び、第１のアーチワイヤスロットを閉鎖することと、同スロットカバーは第１のアーチワイヤスロットの各側部に沿って、同側部と略平行に延びる対応する脆弱部によってブラケット本体に一体的に連結されることと、
各脆弱部は少なくとも２つの空洞部及び少なくとも２つの連結部とを含み、連結部のうち１つは２つの空洞部の間に設けられることと、連結部はスロットカバーをブラケット本体に取り付けるために設けられ、各空洞部はブラケットの外部と第１のアーチワイヤスロットの内部の間の通路となることと、
スロットカバーの近遠心方向の部分はアーチワイヤスロットの長さの５０％乃至９０％であることとを特徴とする変形可能な歯列矯正ブラケット。
【請求項１７】
前記脆弱部の少なくとも１つに対応して、連結部は同少なくとも１つの脆弱部に沿ってスロットの長さの２０％以下である全長を有することを特徴とする請求項１６に記載の変形可能な歯列矯正ブラケット。
【請求項１８】
前記少なくとも１つの脆弱部に対応する連結部は同少なくとも１つの脆弱部に沿ってスロットの長さの５％乃至２０％の全長を有することを特徴とする請求項１７に記載の変形可能な歯列矯正ブラケット。
【請求項１９】
前記空洞部の少なくとも殆どは台形状であることと、各台形状の空洞部の最も長い部分は同台形状の空洞部の反対側と比較してブラケット本体により近接していることとを特徴とする請求項１６に記載の変形可能な歯列矯正ブラケット。
【請求項２０】
前記アーチワイヤスロットへの面取りした開口部を更に備えることを特徴とする請求項１６に記載の変形可能な歯列矯正ブラケット。
【請求項２１】
前記第１のアーチワイヤスロットに対して平行にして、且つ隣接する第２のアーチワイヤスロットを更に備え、同第２のアーチワイヤスロットは第２のスロットカバーにより覆われることを特徴とする請求項１６に記載の変形可能な歯列矯正ブラケット。
【請求項２２】
前記第１のアーチワイヤスロットに対して非平行である第２のアーチワイヤスロットを更に備え、同第２のアーチワイヤスロットは第２のスロットカバーにより覆われることを特徴とする請求項１６に記載の変形可能な歯列矯正ブラケット。
【請求項２３】
頬側の管を沿層方向ブラケットに変形するブラケットの変形方法であって、
ブラケットがベース部を有するブラケット本体から成り、ブラケット本体は更に近遠心方向に延びるアーチワイヤスロットを画定し、ブラケットは更にブラケット本体に取り付けられるスロットカバーから成ることと、同スロットカバーはアーチワイヤをスロット内に保持するためにスロットの幅部分を横断して延びることと、同スロットカバーはスロットカバーをスロットの咬合側のブラケット側部に取り付けるための第１の複数の連結部とスロットカバーをスロットの歯肉側のブラケット側部に取り付けるための第２の複数の連結部とを有することと、該ブラケットを歯に取り付ける工程と、
第１の複数の連結部及び第２の複数の連結部のそれぞれをブラケット本体から取り外すことによりカバーを取り除く工程とを含み、
スロットカバーの近遠心方向の部分はアーチワイヤスロットの長さの５０％乃至９０％であることと、
第１の複数の連結部の少なくとも２つの連結部のために、少なくとも２つの空洞部が設けられ、同少なくとも２つの連結部のうち１つは２つの空洞部の間に設けられることと、各空洞部はブラケットの外部とアーチワイヤスロットの内部の間の通路となることとを特徴とするブラケットの変形方法。
【請求項２４】
前記ブラケット本体は少なくとも一対の結紮ウィングを更に備え、同結紮ウィングは少なくとも一対の結紮ウィングの間にアーチワイヤスロットを備えることと、カバーが取り外された後にスロット内にアーチワイヤを結紮する工程を更に含むこととを特徴とする請求項２３に記載の方法。
【請求項２５】
前記取り除く工程に先立ってアーチワイヤスロット内にアーチワイヤを挿入する工程を更に含むことを特徴とする請求項２３に記載の方法。
【請求項２６】
前記結紮する工程は結紮器具をブラケットの幅部分に沿って近遠心方向から見て数字の「８」の字状の部分内に組み込む工程を含むことを特徴とする請求項２４に記載の方法。
【請求項２７】
前記結紮する工程は結紮器具を複数の構造体の１つに組み込む工程を含むことと、同構造体はそれぞれアーチワイヤをスロット内に保持するために異なる結紮力を提供することとを特徴とする請求項２４に記載の方法。
【請求項２８】
歯に相互に連結されるように調整されるベース部と、ベース部から延びアーチワイヤスロットを画定する本体部とを含むブラケット本体と、同アーチワイヤスロットは長さ部分を有し、且つ咬合−歯肉方向に延びる幅部分を有することと、
同ブラケット本体に取り付けられるスロットカバーと、同スロットカバーはアーチワイヤをスロット内に保持するためにスロットの幅部分を横断して延びることと、同スロットカバーはスロットカバーをスロットの咬合側のブラケット側部に取り付けるための第１の複数の連結部と、スロットカバーをスロットの歯肉側のブラケット側部に取り付けるための第２の複数の連結部とを有することと、
第１の複数の連結部及び第２の複数の連結部のうち少なくとも１つはスロットの側面に隣接する既定の脆弱部を形成するために間に開口部を有する少なくとも２つの連結部を備えることと、スロットの長さ部分に沿って延びるスロットカバーの少なくとも一部分をブラケット本体から取り外すために、同少なくとも２つの連結部はスロットカバーの部分がブラケット本体から取り外される要因とされることと、
スロットの少なくとも１つの側壁とスロットカバーとの間に棚部を備え、同棚部はスロットの内側に面するスロットカバーの側部に面することとを特徴とする変形可能な歯列矯正ブラケット。
【発明の詳細な説明】
【技術分野】
【０００１】
本発明は歯列矯正ブラケットに関する。より詳細には本発明は取り外し可能なカバー又は変形可能なカバーを備えた変形可能なブラケットに関する。
【背景技術】
【０００２】
歯列矯正ブラケットは相互に連結されたアーチワイヤ及び付属物を使用して選択的に作用される力により歯を並べるために幅広く使用される。ブラケットは通常金属製、セラミック製、或いは合成構造物により形成され、歯と相互に連結するベース部と、スロットが設けられたブラケット主部と、任意により例えば歯を整列させることに使用される結紮ウィングとから構成される。
【０００３】
変形可能なブラケットは位置異常な歯を矯正するために歯科矯正医によって使用される歯列矯正器具である。変形可能なブラケットにおいて、アーチワイヤのスロットの頬側又は頬に面する側は義歯やキャップ等の構造体によって包囲され、通常断面が矩形や台形である管状の開口部を形成する。義歯やキャップは真鍮をかぶせることにより、レーザー溶接により、或いはスポット溶接により部位に設けられる。
【０００４】
これに代えて、特許文献１に開示されるようにブラケット本体は一体的に形成されるカバー板を有してもよい。カバー板はアーチワイヤのスロットの部分に沿って延びる長尺状をなす脆弱なウェブによって形成される脆弱部を備える。特許文献１はその全体がここで開示されたものとする。このように義歯やキャップは取り外され、管を治療のレーザー段階にて従来技術によるブラケットに変形させる。これらの開口部は元の部分を形成する場合と同様に水やその他の液体を使用して例えば材料を取り除くジェット噴流によっても形成可能である。これらのキャップはブラケット本体の材料とは異なる材料からも形成可能である。ブラケット本体及びキャップの好適な組み合わせは１つ以上の金属、セラミック、プラスチック、複合材料や、その他の貴金属の組み合わせを含む。例えばこれらの組み合わせは、プラスチックキャップを備えた金属のブラケット本体や複合材料のキャップを備えたセラミックのブラケット本体を含む。
【０００５】
歯列矯正ブラケットにおいて、アーチワイヤは１つ以上の対の対抗する結紮ウィングによる唇方向に開く水平方向のスロットを通過して延びる。更なる背景技術情報が特許文献２に開示され、その全体がここで開示されたものとする。アーチワイヤが所望の圧力を得られるような寸法にて形成され準備される。各ブラケットは通常歯肉方向に延びる結紮ウィング及び咬合方向に延びる結紮ウィングを有する少なくとも一対の結紮ウィングを備える。１つ以上の対の結紮ウィングに配置されると、アーチワイヤは通常鋼製の結紮糸又は弾性結紮糸等の結紮器具によりそこに規制される。
【特許文献１】米国特許第４９２７３６２号明細書
【特許文献２】米国特許第５４７０２２８号明細書
【特許文献３】米国特許第６８４６１７８号明細書
【特許文献４】米国特許出願第１１／６９５５５５号明細書
【特許文献５】米国特許第６４２８３１４号明細書
【特許文献６】米国特許出願公開第２００５／０００３３２０（Ａ１）号明細書
【発明の開示】
【発明が解決しようとする課題】
【０００６】
本発明は取り外し可能なカバー又は変形可能なカバーを備えた変形可能な歯列矯正ブラケットを提供することを目的とする。
歯列矯正治療の目標及び技術は発展し続けており、本発明は上述した変形可能な歯列矯正ブラケットに関する重要な効果を開示するが、頬側の管及び沿層方向のブラケットの使用性及び構造的一体性は保持される。
【課題を解決するための手段】
【０００７】
新規な歯列矯正ブラケットとその使用法がここで開示される。新規なブラケットは歯列矯正治療開始時及び歯列矯正治療後の両段階において様々な効果を発揮する。新規なブラケットはブラケットのアーチワイヤスロット用の取り外し可能なカバーを備える。歯列矯正治療の初期の段階においてカバーが定位置にある場合に、カバーはブラケット内に管を形成し、これによりアーチワイヤ及びスロット間における所望の関係を保持することを補助できる。アーチワイヤは（アーチワイヤをスロット内に保持する機構を備えたカバーで覆われていないスロットと比較して）スロット内やスロットの周囲において巻き付く傾向を示さず、これによりアーチワイヤは内部をより自由に移動する。続いて歯列矯正治療の後の段階においてカバーは取り外される。これにより変形可能なブラケットは周知の技術による沿層方向ブラケットとして機能する。
【０００８】
従って本発明の実施例において、新規な変形可能な歯列矯正ブラケットが開示され、ブラケットは患者の治療の様々な段階における操作の様々なモードに適応する構造体である。特に新規なブラケットはカバーの厚み全体にわたって（或いは略全体にわたって）延びる開口部を含み、これによりカバーはカバーをブラケットに取り付けるための「架橋」と思料される連結部によってブラケットの残部に取り付けられる。従ってこのような架橋によりカバー及びブラケット（以下「ブラケット本体」と呼ぶ）の間に脆弱なライン又は脆弱部が得られ、カバーを容易にして、且つわかりやすくブラケット本体から分離可能となる。従来技術に対して後述する効果が得られる。
【０００９】
（ａ）架橋の部分のみがこのような不規則な部分を有するブラケット本体に設けられた状態を保持するため、カバーは減少された不規則な表面や端部を残したままブラケット本体から分離する。
【００１０】
（ｂ）カバーは架橋に沿って（或いはブラケット本体に隣接する架橋の端部にて）容易に分離するため、カバーを外したブラケットの強度はカバーをブラケット本体から取り外されることによって妥協されるものではなく、これによりブラケット本体の所望しない部分もカバーと共に分離される。
【００１１】
（ｃ）カバーは架橋に沿って（或いはブラケット本体に隣接する架橋の端部にて）容易に分離するため、カバー全体が容易に取り外される。従ってブラケット本体から分離しないカバーの一部を取り除くべく歯列矯正医が更なる作業を実施する必要は全く、或いは殆どない。
【００１２】
ここで開示される実施例における新規にして、且つ変形可能な歯列矯正ブラケットは一体的にモールド成型、鋳造、焼結、或いは機械加工された製品である。製品はアーチワイヤスロットを画定する歯列矯正ブラケットから成る。アーチワイヤスロットは頬側にて着脱自在な部分により覆われ、着脱自在な部分は真鍮や接着剤等によりブラケット本体と一体的に設けられるか、ブラケット本体に取り付けられる。頬側のカバーに対向するブラケット本体はブラケット本体やスロットや、これらの両者に組み込まれるリングを備える。角張った部分及び壁の棚がスロット及びベース部の一方又は両者に組み込まれてもよい。
【００１３】
一実施例においてカバーの咬合側及び歯肉側は開口部や空洞部の間に配置される連結部によってブラケット本体に連結されるか、或いは既定の分離部（通常近遠心方向）を形成する脆弱材から成る連結部によって連結される。脆弱材の連結部に沿ってカバーは例えば連結部を割ったり破壊したりすることによってブラケット本体から取り外し可能である。実施例においてカバーの（スロットの深みの方向の）厚み及び連結部の厚みは略同じである。別例においてカバー板は様々な厚みを有し、及び／又は連結部は様々な厚み、或いはカバ―の厚みとは異なる厚みを有する。
【００１４】
連結部はブラケットのスロットの近心側及び遠心側に沿って取り付けられる部材や架橋を備えてもよい。これらの部材は通常ブラケットの咬合−歯肉方向に延び、ブラケット本体の頬に対向する面に設けられる。これらの部材の数及び近遠心方向に沿った位置は任意である。カバー及びブラケット本体の境界面に少数の開口部又は多数の開口部（例、空洞部や切り欠き）が設けられてもよい。これらの開口部は上記部材の間に設けられる。例えば境界面には２つ以下の開口部が設けられてもよく、或いは例えば７つ以上の開口部が設けられてもよい。
【００１５】
本発明の少なくとも一実施例において、新規な歯列矯正ブラケットが開示される。ブラケットは（ｉ）歯に直接又は間接的に取り付けられるように調整されるベース部と、ベース部から延び、長尺状をなすアーチワイヤスロットを設けた本体部とを有するブラケット本体と、（ｉｉ）カバーとカバーをブラケット本体に連結させる連結部とを有するスロットカバーとを備える。カバーはアーチワイヤスロットの頬側を横断して延び、頬側を閉じるか覆う。このようなカバーは１つ以上の脆弱なライン又は脆弱部（例えば２本のラインや脆弱部）を形成するために、間に開口部を有する複数の連結部によってブラケット本体にスロットの反対側に沿って連結される。脆弱なライン又は脆弱部によりカバーは開口部の設けられた脆弱部に沿ってスロットを開放すべくブラケット本体から取り外される。
【００１６】
１つ以上の脆弱部を形成する連結部は好適には開口部と交互に設けられる金属から成る。金属は好適にはカバーとほぼ同じ厚みである。各開口部は好適には長円形であり、近遠心方向にてブラケットの外部からスロットの内部に至る通路を画定する。しかしながらこれらの開口部は円形、正方形、矩形等のその他の形状であってもよい。更に、ブラケットの本体は少なくとも１つの咬合方向に延びる結紮ウィング及び少なくとも１つの歯肉方向に延びる結紮ウィングを有することに留意する必要がある。これに代えてブラケット本体は結紮ウィングを備える必要はなく、スロットから離間するように延びる別の歯列矯正の構造体を備えてもよい。これらの構造体の例は当業者が理解するようにフック、管、円形のボス等を含む。
【００１７】
本発明は新規にして、且つ変形可能な歯列矯正ブラケットを開示する。ブラケットは、（ａ）歯と相互に連結される用に調整されるベース部と、（ｂ）ベース部から延びて近遠心方向に延びるアーチワイヤスロットを画定する本体部とを備える。本体部は少なくとも一対の結紮ウィングを有してもよい。アーチワイヤスロットは少なくとも一対の結紮ウィングを構成する歯肉方向のウィング及び咬合方向のウィングの間に設けられる。本体部は１つの結紮ウィングを有するか、全く結紮ウィングを有さない。本体部は別の歯列矯正用構造体（例、フック）を備えるか、或いは備えない。ブラケットは更に、（ｃ）アーチワイヤスロットの少なくとも一部を横断して延び、アーチワイヤスロットの少なくとも一部を頬側にて閉じる取り外し可能なカバーを備える。
【００１８】
本発明の実施例においてブラケット本体は三対の結紮ウィングを含む。各対はブラケット本体の咬合側の結紮ウィングと歯肉側の結紮ウィングである。通常実施例において新規にして、且つ変形可能なブラケットはブラケットを通過する咬合−歯肉方向の中心線から延びる複数の片持部を備えてもよい。これらの片持部はウィング、フック、或いはその他の歯列矯正ブラケットの拡張部であってもよい。
【００１９】
実施例において新規なブラケットはアーチワイヤスロットの近心側の開口部又は遠心側の開口部にて少なくとも１つの傾斜した面を更に備える。更にア―チワイヤスロットはカバーの幅部分内に３つの略平坦な面を備える。本発明の別例においてブラケット本体部は１つ以上のアーチワイヤスロットを含む。本体部は咬合側、歯肉側、近心側、及び遠心側に沿って更に切り欠き、チャネル、溝、或いは孔を含んでもよい。新規にして、且つ変形可能なブラケットのベース部は特許文献３に開示されるような蟻継ぎ、ワイヤの網部、一体的なベース部を備えてもよい。特許文献３はその全体がここで開示されたものとする。ベース部はブラケットを歯列矯正バンドに溶接するために使用可能なフランジを更に備えてもよいことに留意する必要がある。様々な結紮ウィングの設計に加えて、新規にして、且つ変形可能なブラケットはフックの設計、フックの位置、及びフックの配向のいかなる組み合わせを更に含んでもよい。
【００２０】
更にブラケットを頬側の管から沿層方向ブラケットに変形する方法を含む新規な使用法がここで開示される。これらの方法は、（ａ）歯列矯正治療においてブラケットを歯に取り付ける工程を含む。ブラケットは（ｉ）歯を取り付けるベース部から延びる本体部と、取り外し可能なカバー板とを備える。本体部は例えばアーチワイヤスロットが間に設けられた１つ以上の結紮ウィングを備えるか、結紮ウィングは備えない。或いはフック等の１つ以上のその他の歯列矯正構造体を備える。方法は更に、（ｂ）アーチワイヤをアーチワイヤスロット内に挿入する工程と、（ｃ）カバー板を一連の歯列矯正治療における適切なときに取り除く工程と、（ｄ）アーチワイヤをアーチワイヤスロット内に挿入する工程後において取り除く工程後に結紮器具をブラケットに取り付けることによりアーチワイヤを結紮する工程とを含む。
【００２１】
実施例における新規な使用法において、結紮器具はブラケットの幅部分に沿って近遠心方向から見て数字の「８」の字状の部分内に組み込まれることにより形成可能である。これに代えて結紮器具は中心の一対の結紮ウィングの周囲にのみ設けられてもよい。若しくは従来技術のように全ての結紮ウィングの周囲に設けられてもよい。或いは近心側及び遠心側に対して最も外側に位置する結紮ウィングの一方の側に設けられても、最も外側のウィングと中間のウィングの両者の周囲に設けられてもよい。アーチワイヤの結紮はフックを含むブラケット本体のその他の好適な構造体の周囲に結紮することにより実施されてもよい。
【００２２】
本発明の別例において１つ以上の脆弱部を形成するために間に開口部を有する複数の連結部はセラミックや複合材料（高分子材のプラスチック等の複合材料）から成り、これらはセラミックや複合材料に形成される孔と交互に設けられる。セラミックや複合材料はカバー板と略同じ厚みを有してもよい。開口部はカバーを通過して延びる長円形のスロットであってもよい。ブラケット本体及びカバーはプラスチック、セラミック、金属、貴金属、或いはこれらの組み合わせから形成されてもよい。例えばブラケット本体はプラスチックのカバーを備える金属のブラケットから構成されても複合材料のカバーを備えるセラミックのブラケット本体から構成されてもよい。１つ以上のこれらの部分は金属射出成形（ＭＩＭ）、プラスチック射出成形（ＰＩＭ）、セラミック射出成形（ＣＩＭ）、鋳造、レーザー溶接、真鍮、ウォータージェット、接着剤等により形成されてもよい。
【００２３】
実施例において新規にして、且つ変形可能なブラケットは第１のアーチワイヤスロットと平行な第２の予備のスロットが設けられる。このような第２のスロットは取り外すようには設計されていないカバーによって覆われてもよい。別例において第２のスロットは第１のスロットに対していかなる方向に配向されてもよい他（例、非平行）、取り外し可能なカバーを有してもよい。付加的な補助スロットがブラケットに設けられてもよく、これらのスロットは第１のアーチワイヤスロットに対して平行であっても非平行であってもよいことに留意する必要がある。１つ以上のアーチワイヤスロット又は予備スロットは取り外し可能なカバーと、或いは取り外しできないカバーと組み合わせて設けられてもよい。これらのスロットは相互に角度をなしてもよい。
【００２４】
本発明の更なる別例において、カバーはブラケットのベース部より短い近遠心方向の部分及びカバーにより覆われた対応するアーチワイヤスロットのうち少なくともいずれか一方を有してもよい。特にカバーの近遠心方向の部分はスロット１０６の部分の少なくとも５０％を超えて９０％まで延び、より好適にはスロットの部分の６０％乃至９０％を延びる。
【００２５】
加えてここで開示される新規なブラケットは、２００７年４月２日に出願された特許文献４の特徴を更に含んでもよい。特許文献４はここでその全体が開示されたものとする。カバーにより覆われたスロットはアーチワイヤの摩擦を減少させる金属（例、金）の内層とともに、アーチワイヤ及びスロット間の摩擦（特にアーチワイヤをまき付けにより生じる摩擦）を更に減少させるための拡張した又は溝付きのスロットの端部を有する。
【００２６】
実施例においてここで開示される新規なブラケットは２００１年４月２０日に出願された特許文献５に開示される変形可能な頬側の管の改良と解釈されてもよい。特許文献５はここでその全体が開示されたものとする。
【００２７】
実施例におけるここで開示される新規なブラケットはブラケットが取り付けられる歯に面するベース部表面の境界面における様々な形状の表示及びパターンのうち少なくともいずれか一方を有するものと解釈されてもよい。本態様は発明の名称が「歯列矯正ブラケットのベース部器具及びその製造方法」である特許文献３に開示される。特許文献３はここでその全体が開示されたものとする。更に発明の名称が「特徴あるベース部を備えた沿層方向歯列矯正ブラケット」である特許文献６もその全体がここで開示されたものとする。
【００２８】
更なる別例における新規なブラケットにおいて、アーチワイヤスロットの近心側端部及び遠心側端部はアーチワイヤを容易に挿入できるように角度を設けて、傾斜して、或いは漏斗型に構成されてもよい。
【００２９】
本発明の別例においてブラケットやブラケット本体はアーチワイヤから発する圧力を計測可能である。
新規にして、且つ変形可能なブラケットの更なる格別な態様は後述する（ａ）乃至（ｃ）である。
【００３０】
（ａ）新規にして、且つ変形可能なブラケットは、歯に相互に連結されるように調整されるベース部と、ベース部から延び、アーチワイヤスロットを画定するブラケット部とを含むブラケット本体を備える。アーチワイヤスロットは長さ部分を有し、且つ咬合−歯肉方向に延びる幅部分を有する。ブラケット部は少なくとも１つの咬合方向に延びる片持部と、少なくとも１つの歯肉方向に延びる片持部とを更に備える。変形可能なブラケットは更に、ブラケット本体に取り付けられるスロットカバーを備える。スロットカバーはアーチワイヤをスロット内に保持するためにスロットの幅部分を横断して延びる。スロットカバーはスロットカバーをスロットの咬合側のブラケット側部に取り付けるための第１の複数の連結部と、スロットカバーをスロットの歯肉側のブラケット側部に取り付けるための第２の複数の連結部とを有する。
【００３１】
第１の複数の連結部及び第２の複数の連結部のうち少なくとも１つはスロットの側面に隣接する既定の脆弱部を形成するために間に開口部を有する少なくとも２つの連結部を備える。スロットの部分に沿って延びるスロットカバーの少なくとも一部分をブラケット本体から取り外すために、少なくとも２つの連結部はスロットカバーの部分がブラケット本体から取り外される要因とされる。
【００３２】
（ｂ）既定の脆弱部は少なくとも２つの開口部を含む。
（ｃ）既定の脆弱部はスロットの大部分にわたって延びるがスロットの部分の９０％以下にわたって延びる。既定の脆弱部の大部分は空洞部であり、各空洞部はブラケットの外部とスロットの内部の間の通路となる。
【００３３】
本発明の様々な実施例が添付の図面及び後述する発明を実施するための最良の形態に開示され、添付の特許請求の範囲によって具体化される。しかしながらこの課題を解決するための手段は請求項に記載の全ての新規な態様及び新規な実施例を包含するものではないことを理解する必要がある。従ってこの課題を解決するための手段はこれらに限定されることを意味するものではない。ここで開示されたものはこれらに対する明らかな改良及び変形を包含するということを当業者は理解するだろう。
【００３４】
本発明の範囲内の別例は当業者が添付の図面と共に後述する発明を実施するための最良の形態を参照した後に明らかになるだろう。
【発明を実施するための最良の形態】
【００３５】
図１，２に示すように変形可能な歯列矯正ブラケット１００は、（ａ）（直接的に又は間接的に）歯と連結するベース部１０４と、アーチワイヤスロット１０６を内部に有し、ベース部から延びる主部１０５と、床部１０８（図２参照）とを有するブラケット本体１０２と、スロットは側壁部１０７を有することと、（ｂ）スロット１０６内にアーチワイヤを保持するスロットカバー１０９とを備え、スロットカバーはスロット１０６用のカバー１１０と、カバー１１０をブラケット本体１０２に連結する連結部１３２とを備える。
【００３６】
連結部１３２はカバー１１０の２つの外側端部に沿って（スロット１０６の方向に）延び、開口部を設けた２つの脆弱な部分を形成し、これらは通常軸１１１と共線的である。これらの脆弱部はカバー１１０の厚みの部分全体にわたって延びる少なくとも１つの孔又は開口部１１２を有し、これによりこのカバーは連結部１３２によってブラケット１００にのみ取り付けられる。好ましくは、各開口部１１２は横断する咬合−歯肉の方向の幅と比較して、近遠心方向１１４にてより長い。特に各開口部は幅の長さの少なくともおおよそ三倍の長さを有する。しかしながら、連結部１３２の肉薄な領域又は脆弱な領域と任意により一体的に設けられる開口部は様々な寸法及び形状が製造条件及び使用条件のうち少なくともいずれか一方に対応するために、本発明の開示する範囲を逸脱することなく使用可能である。従って、例えばこれらの開口部は方形、円形、或いは矩形であってもよい。しかしながら、これらの開口部の好ましい形状は後述するように台形である。
【００３７】
実施例において、連結部１３２はカバー１１０と一体的に形成されカバー１１０と同一の材料にて形成され、カバー１１０と略同一の厚みを有する。ここで「厚み」とは軸１１７（図２参照）に沿った線寸法を示し、例えばスロット１０６の深みが対応する。しかしながら別例において連結部１３２はカバー１１０の厚みより肉薄ではない。実施例において連結部１３２のこれらの肉薄部は連結部の暴露された面１１９又は頬に対抗する面１１９により奥まった箇所に位置される（図１，２に図示しない）。従って本実施例においてカバー１１０が（脆弱部の線に沿って）ブラケット１００から取り外される場合に、連結部１３２がブラケット１００から分離される部分において不規則な形状を備えるか円滑でない表面又は端部は、ブラケット内の奥まった箇所に位置されるため、刺激の原因となったり円滑加工を要したりするものではない。図３に示すように別例においてカバー１１０、連結部１３２、及びブラケット本体１０２は一体的に形成されてもよく、ここで各開口部１１２はブラケット本体１０２及びカバー１１０の一体的な連結体にて形成される。
【００３８】
少なくとも実施例においてカバー１１０は約０．１ｍｍ乃至約５ｍｍの厚みを有する。カバー１１０の厚みはカバーをブラケット本体１０２から取り外すために作用される所望の圧力に応じて変化することに留意する必要がある。更にカバーの取り外しに要する圧力の好ましい範囲は５ポンド乃至３０ポンド（２２ニュートン乃至１３３ニュートン（２２Ｐａ乃至１３３Ｐａ））である。更にカバー１１０はスロット１０６の部分の少なくとも５０％を超えて９０％まで延び、より好適にはスロットの部分の６０％乃至９０％を延びる。通常カバー１１０はスロット１０６の全長にわたって延びるものではない。この理由としてこのような全長にわたるカバーでは歯列矯正医がアーチワイヤをスロット内に通過させることが困難になることが挙げられる。
【００３９】
しかしながら実施例においてカバー１１０の厚みは、カバーの端部における対応するスロットの断面が例えばスロットの長さ部分の中心における断面より大きくなるように長尺方向の両端部のうち少なくとも一方にて減少する。従ってこの後者の実施例において、カバー１１０の部分はスロット１０６の略全長にわたって、例えばスロットの長さの９０％乃至１００％にわたって延びてもよい。ベース部１０４は変形可能な歯列矯正ブラケット１００を患者の歯に連結させることに使用可能である。現在周知の、或いは将来開発されるいかなる好適な取り付け手段も変形可能な歯列矯正ブラケット１００を患者の歯（図示しない）に取り付けるために使用可能である。従ってブラケット１００を歯に取り付けるために、直接歯を接着するもの、フランジをバンドに溶接し続いて歯に連結させるもの、網のベース部を介するもの等を含む様々な方法が使用可能である。
【００４０】
図１，２に示す実施例において、カバー１１０はブラケット本体１０２上に設けられる。ブラケット本体１０２は３つの結紮ウィングを一方の（歯肉の又は咬合の）側に有し、中央に延びるウィング又はフック１２４と一体的に形成される２つの結紮ウィング１２４をブラケット本体１０２の反対の（歯肉の又は咬合の）側に有する。しかしながらカバー１１０やその変形物がその他のタイプのスロットを設けたブラケット本体上に設けられてもよい。例えば図５乃至１５にそれぞれ示されるブラケット１００ａ乃至１００ｋ（及びこれらの変形物）が本発明の範囲内に含まれる。側壁部１０７及び床部１０８のうち少なくともいずれか一方は金等のアーチワイヤ摩擦減少材料により覆われることに留意する必要がある。
【００４１】
更に図１６，１７は新規な変形可能な歯列矯正ブラケット（１００Ｌ）の一対の結紮ウィングの実施例を示す。側壁部１０７及び床部１０８のうち少なくともいずれか一方は金等のアーチワイヤ摩擦減少材料により覆われることに留意する必要がある。更に２００７年４月２日に出願された特許文献４に開示されるように、床部１０８及び側壁部１０７はスロット１０６の端部にて拡張されたり溝を掘って形成されてもよい。
【００４２】
図１８，１９は更なる別例を示す。本実施例において一対の結紮ウィングのブラケット１００ｍは湾曲したフランジ１２０を有する。フランジ１２０はブラケット１００ｍを直接歯に取り付けることに代えてブラケット１００ｍを歯列矯正バンド（図示しない）に取り付けるための好適な表面領域及び外形を有する。ブラケット１００、及び１００ａ乃至１００ｍのいずれの実施例においても側壁部１０７及び床部１０８のうち少なくともいずれか一方は金等のアーチワイヤの摩擦減少材料により覆われてもよいことに留意する必要がある。更に２００７年４月２日に出願された特許文献４に開示されるように、床部１０８及び側壁部１０７はスロット１０６の端部にて拡張されたり溝を掘って形成されてもよい。
【００４３】
更なる別例においてブラケット１００（及び／又はブラケット１００ａ乃至１００ｋ）は組み込み式金属輪から構成されてもよい。
図２は図１にも示される整列指示部１５０及びブラケットタイプ識別部１５４を更に明瞭に示す。更に図２はアーチワイヤスロット１０６への入り口の一方又は両者にて好適に設けられる面取りをしたスロット開口部２００又は溝により形成されたスロット開口部２００をより詳細に示す。更にスロット１０６の床部１０８もベース部１０４に向かってスロット開口部２００の近傍にて傾斜し、スロット１０６への開口部の１つ又は両者を更に増大させることに留意する必要がある。従ってア―チワイヤがこれらの拡張した開口部２００を介してスロット１０６内に挿入される場合にアーチワイヤスロット１０６を通過するア―チワイヤ（図示しない）の設置はより容易になる。より詳細にはアーチワイヤスロット１０６への入り口はアーチワイヤと比較して大きく若干ファネル形状であるため、歯列矯正医は予めドリルにより設けられた孔に皿穴によりネジを容易に設置することができることと同様にアーチワイヤをブラケット１００に容易に設置することができる。
【００４４】
図１，２は各側壁部１０７上の突出部２０８も示す。各突出部２０８はカバー１１０がスロット１０６上にてブラケット本体１０２に取り付けられる場合にカバー１１０を適切に配置するために使用される。特にカバー１１０及びその連結部１３２はまずカバー及びその連結部１３２を突出部２０８上に配置し、続いて（又はこれにより）各連結部１３２を連結部が隣接する対応する突出壁２１２（図１参照）に固定することによりブラケット本体１０２（即ちカバーを取り外したブラケット）に取り付けられる。
【００４５】
これに代えて、又は付加的に連結部１３２は突出部２０８に固定されてもよい。カバー及びその連結部１３２は当業者に周知のように、真鍮により、又は接着剤を使用する等して固定されることに留意する必要がある。更に連結部１３２はスロット１０６の約５％乃至２０％の部分のみにて突出部２０８及び突出壁２１２のうち少なくともいずれか一方に取り付けられるため、不規則な面、不規則な端部や鋭利な端部は減少し、ブラケット本体１０２の部分がカバー１１０と共に外れる可能性が大きく減少することに留意する必要がある。即ち、開口部１１２がこれらの間の連結金属部１３２と比較して好適により長いことによる。これらはカバー板１１０を変形可能な歯列矯正ブラケット１００から分離させることを補助する。
【００４６】
従って少なくとも実施例において、開口部１１２は好適には長尺状をなす開口である。開口部１１２を形成するこれらの開口の数及び寸法は変えてもよいが好適には、分離線に沿ってこれらの開口の間に物体がある場合に比較して同一の線に沿ってより多くの開口部１１２及び／又は開口部１１２のより大きな領域及び／又は脆弱部が設けられる。本発明の少なくとも実施例において１つ以上の開口部１１２は台形状であり、連結部１３２の外側末端部に沿った最も長い平行な側部と、カバー板１１０の中心に向かって延びる最も短い平行な端部と、開口部１１２の近遠心方向の端部にて２つの非平行な端部とを備える。各開口部１１２が台形であることは、カバー１１０をブラケット本体１０２から分離する場合に各連結部１３２の末端部や自由端がブラケット本体１０２に隣接する各連結部の近傍にて（又は連結部にて）分離が生じる可能性が高い点において有効である。
【００４７】
好適には変形可能な歯列矯正ブラケット１００は（或いはブラケット１００ａ乃至１００ｋのいずれも）モールド成形及び焼結により製造されるが、これに代えて開口部１１２がレーザー技術等により形成されてもよい。
【００４８】
使用時において変形可能な歯列矯正ブラケット１００は（或いはブラケット１００ａ乃至１００ｋのいずれも）通常ブラケット１００を歯の表面に接着することにより歯に固定される。
【００４９】
これに代えて、ブラケット１００はブラケットをトゥースバンド（図示しない）と連結し続いて歯に取り付けることにより歯に固定されてもよい。従来技術によるアーチワイヤの終端部は続いて歯列矯正治療の初期段階にてブラケット１００の（或いはブラケット１００ａ乃至１００ｋのいずれかの）カバーで覆われたスロット１０６内に嵌入される。続いて治療の後の段階において最初のアーチワイヤは取り除かれる。カバー１１０は変形可能な歯列矯正ブラケット１００から取り除かれ、ブラケット１００をスロット１０６が頬側に開く沿層方向ブラケットに変形する。
【００５０】
カバー板１１０を取り除く技術はアーチワイヤスロット１０６の開口部２００に挿入される穿孔ツールの使用を含み、カバー１１０をブラケット本体１０２から剪断及び破壊して取り除く。当業者が理解するようにカバー１１０を変形可能な歯列矯正ブラケット１００（或いはブラケット１００ａ乃至１００ｋのいずれか）から取り除く方法は様々な別例があり、カバーをブラケット本体１０２の残部から分離可能とする顕著な物理的特性を有する異なる金属、プラスチック、セラミック、高分子剤等の使用を含む。図示しないがカバー１１０を取り除く方法の別例は張引された場合にカバー１１０の一端をブラケット本体１０２の残部から分離する引きひも状の構造体（図示しない）を設けることを含む。更なる別例において使用可能な技術は容易に取り除くことができるように連結部１３２及びカバー１１０のうち少なくともいずれか一方を化学的に溶解させることや、カバーをブラケット本体１０２から分離するためのレーザー技術等を含む。上記方法及び技術のすべては本発明の開示の範囲内に含まれる。
【００５１】
図４は開口部２００に進入する歯列矯正ツールを使用する等してカバー板１１０が取り除かれた図３に示される変形可能な歯列矯正ブラケット１００を示す。これらのツールは連結部１３２を破壊して連結部をブラケット本体１０２から取り除くか、或いは連結部によるブラケット本体への連結を終結させるカバー板１１０を取り除くことによりア―チワイヤスロット１０６の内部は目視可能となり、ブラケット１００は続いて沿層方向ブラケットのように使用される。
【００５２】
アーチワイヤスロット１０６は側壁部１０７及びスロット床部１０８の端部にて起伏を有し、アーチワイヤと接触する表面積を減少させる。しかしながら本発明の少なくとも好適な実施例において、歯肉側の側壁部１０７及び咬合側の側壁部１０７、並びにスロット床部１０８は略平坦である。更に本発明の少なくとも実施例において、歯肉側の側壁部及び咬合側の側壁部はカバー１１０の近心の端部及び遠心の端部間にて略平行である。
【００５３】
図４に示す本発明の実施例において、カバー板１１０が取り除かれた後、１本以上の結紮糸を使用してアーチワイヤ（図示しない）をアーチワイヤスロット１０６に保持することが有用である。図示のように１つ以上の第１の結紮ウィング１１８が変形可能な歯列矯正ブラケット１００の歯肉−咬合中心線２３０から延びる。１つ以上の第２の結紮ウィング１２４が歯肉−咬合中心線２３０から歯肉−咬合方向にて反対方向に延びる。第１の結紮ウィング１１８の下方及び間、並びに第２の結紮ウィング１２４の下方及び間に第１の結紮糸溝４００及び第２の結紮糸溝４０４が設けられる。結紮糸が１つ以上の結紮ウィング１１８及び１つ以上の結紮ウィング１２４の周囲を包囲可能である。結紮糸は中心線２３０の各側方の結紮糸溝４００，４０４の少なくとも１つに固定され、更にアーチワイヤの頂部上を延びてアーチワイヤを定位置に保持する。従って、後述するように様々な結紮糸の構成、及びこれらに対応してアーチワイヤ上の結紮糸の張力の量を変更した例が開示される。
【００５４】
ブラケット本体１０２（即ち少なくともカバー１１０を備えないブラケット１００）の歯肉側及び咬合側のそれぞれに３つの結紮ウィングを備えることにより、ブラケット本体１０２は多数の結紮糸構成を提供する。アーチワイヤ及びブラケット間の結合による摩擦量は歯列整形医によって様々な可能な結紮糸構成を使用することにより操作可能である。例えば結紮糸を中央の結紮ウィングの上方にのみ配置することにより、結合による摩擦量は比較的小さくなる。対照的に「数字の８」を全ての結紮ウィングの周囲に形成することにより連結による摩擦の最大量が得られる。
【００５５】
従って変形可能なブラケット１００の特徴により治療の初期段階において頬側の管として使用可能となり、更に治療の後の段階においてブラケットの機能の相互作用効果が得られる。歯列矯正医は治療の初期段階において変形可能なブラケット１００を沿層方向のブラケットとして使用しブラケットに最小限の結紮糸の圧力を作用させることができ、治療の後の段階において沿層方向のブラケットとして結紮糸のより大きい圧力を作用させることができる。
【００５６】
新規な変形可能なブラケットの別例は少なくとも２つのアーチワイヤスロット１０６を含み、これらのスロットは相互に平行にして、且つ隣接する。各スロットは近遠心方向に延びる。１つ以上のスロット１０６は上述したようなスロットカバー１０９を有する。２つのスロットの間のブラケット本体１０２の材料は材料の少なくとも一方の側に連結部１３２を収容すべく（スロット間は）充分に幅広にして、且つ強度を備えることに留意する必要がある。実施例においてこれらの幅は１．０ｍｍ乃至３．０ｍｍの範囲にある。アーチワイヤスロット１０６の１つは取り外しできないカバーを有してもよい。
【００５７】
当業者は本発明の好適な実施例に対して多数の変更及び変形が可能であることと、これらの変更及び変形は本発明の精神から逸脱することなく可能であることとを認識するだろう。従って本発明の精神および範囲内に含まれる上記同等の変更の全てが添付の特許請求の範囲に包含されるものとする。
【図面の簡単な説明】
【００５８】
【図１】本発明における変形可能なブラケット１００においてカバー１１０がブラケット本体１０２に連結されることを示す上面斜視図。
【図２】図１の変形可能なブラケットを示す別の図。
【図３】別例におけるブラケット１００を示す側面図。
【図４】カバー１１０がブラケット本体１０２から取り除かれた図３の変形可能な歯列矯正ブラケットを示す上面斜視図。
【図５】ここで開示される付加的な実施例における新規にして、且つ変形可能なブラケットを示す図。
【図６】ここで開示される付加的な実施例における新規にして、且つ変形可能なブラケットを示す図。
【図７】ここで開示される付加的な実施例における新規にして、且つ変形可能なブラケットを示す図。
【図８】ここで開示される付加的な実施例における新規にして、且つ変形可能なブラケットを示す図。
【図９】ここで開示される付加的な実施例における新規にして、且つ変形可能なブラケットを示す図。
【図１０】ここで開示される付加的な実施例における新規にして、且つ変形可能なブラケットを示す図。
【図１１】ここで開示される付加的な実施例における新規にして、且つ変形可能なブラケットを示す図。
【図１２】ここで開示される付加的な実施例における新規にして、且つ変形可能なブラケットを示す図。
【図１３】ここで開示される付加的な実施例における新規にして、且つ変形可能なブラケットを示す図。
【図１４】ここで開示される付加的な実施例における新規にして、且つ変形可能なブラケットを示す図。
【図１５】ここで開示される付加的な実施例における新規にして、且つ変形可能なブラケットを示す図。
【図１６】実施例における新規にして、且つ変形可能なブラケット（１００Ｌとして示す）の一対の結紮ウィングを示す斜視図。
【図１７】実施例における新規にして、且つ変形可能なブラケット（１００Ｌとして示す）の一対の結紮ウィングを示す側面図。
【図１８】実施例において、ブラケットのベース部１０４を例えば歯列矯正バンド（図示しない）に取り付けるためにフランジが設けられた、新規にして、且つ変形可能なブラケット（１００ｍとして示す）の一対の結紮ウィングを示す斜視図。
【図１９】実施例において、ブラケットのベース部１０４を例えば歯列矯正バンド（図示しない）に取り付けるためにフランジが設けられた、新規にして、且つ変形可能なブラケット（１００ｍとして示す）の一対の結紮ウィングを示す側面図。
【図１】
2009535124.tif 000003
【図２】
2009535124.tif 000004
【図３】
2009535124.tif 000005
【図４】
2009535124.tif 000006
【図５】
2009535124.tif 000007
【図６】
2009535124.tif 000008
【図７】
2009535124.tif 000009
【図８】
2009535124.tif 000010
【図９】
2009535124.tif 000011
【図１０】
2009535124.tif 000012
【図１１】
2009535124.tif 000013
【図１２】
2009535124.tif 000014
【図１３】
2009535124.tif 000015
【図１４】
2009535124.tif 000016
【図１５】
2009535124.tif 000017
【図１６】
2009535124.tif 000018
【図１７】
2009535124.tif 000019
【図１８】
2009535124.tif 000020
【図１９】
2009535124.tif 000021
【国際調査報告】
2009535124.tif 000022